(57)【特許請求の範囲】
【請求項１】
合成樹脂製のメータケースの底部に計器ムーブメントを位置決め固定し、該計器ムーブメントが有する接触子を、前記メータケースの底部外側に配した印刷配線回路基板に立設した接触子受け片に挿入して前記印刷配線回路基板の電気配線と電気接続し、前記電気配線、前記接触子受け片及び前記接触子を通じて前記計器ムーブメントの指針軸に取り付けた指針を計測量に応じた回転位置に駆動させる給電を行うようにした電動形計器ムーブメントの組付構造において、
前記接触子受け片に少なくとも対応する部位に、前記メータケースの底部を内側に部分的に突出させて凸部を、外側から部分的に窪まさせて前記接触子受け片を収容する凹部をそれぞれ形成し、前記凸部及び凹部を貫通して前記凹部に収容された接触子受け片の軸線に略一致し、前記接触子の下端の挿入部を前記接触子受け片まで挿通させる挿入孔を形成し、
前記挿入孔の前記凸部側の開口２ｆを錐状に拡大した
ことを特徴とする電動形計器ムーブメントの組付構造。
【請求項２】
前記錐状に拡大した開口の面積が少なくとも前記接触子受け片の開口よりも広い
ことを特徴とする請求項１に記載の電動形計器ムーブメントの組付構造。
【請求項３】
前記凸部が前記円錐状に拡大した開口の周囲に平坦面を有する
ことを特徴とする請求項１又は２に記載の電動形計器ムーブメントの組付構造。
【発明の詳細な説明】
【０００１】
【発明の属する技術分野】
本発明はクロスコイル式ムーブメントのような電動形計器ムーブメントの組付構造に係り、特に、合成樹脂製のメータケースの背面に配設した印刷配線回路基板に設けられた接触子受け片に対し、メータケース内に収容固定される電動形計器ムーブメントの接触子をメータケース内側から挿入して電気接続し、電気信号を接触子受け片及び接触子を介して計器ムーブメントに供給し、計器ムーブメントの指針軸に取り付けた指針を車速などの計測量に応じた回転位置に駆動させる給電を行うように組み付けた電動形計器ムーブメントの組付構造に関するものである。
【０００２】
【従来の技術】
従来、この種の組付構造として、図５（部分破断側面図）及び図６（分解図）に示すようなものがあった。同図において、計器ムーブメントとしてのクロスコイル式ムーブメント１は、外周に互いに交差して一対のコイル１ａが巻回された中空のコイルボビンの空間内に、径方向にＮＳ極を着磁したマグネットロータを回転自在に配し、一対のコイル１ａに計測量に応じて大きさの変化する電流を流し、このとき各コイルが発生する磁界を合成した合成磁界方向にＮＳ極が一致するようにマグネットロータを回転させ、マグネットロータの回転軸を指針軸１ｂとしてこれに取り付けた指針１ｃを計測量に応じた回転位置に駆動するように構成されている。
【０００３】
コイルボビンに巻回したコイルは内外の磁気干渉を遮断する遮磁ケース１１内に収容されている。コイルボビンには遮磁ケース１１外に突出するように支持部１２が一体に成形され、この支持部１２に保持された接触子１３の上端部１３ａには、各コイル端が巻回された上で半田付けされて電気接続されている。コイル端が電気接続された接触子１３の上端部１３ａは折曲されているが、各コイル端が巻回される際には真っ直ぐになっている。
【０００４】
クロスコイル式ムーブメント１全体は、表面側の文字板１４ａと裏面側の導光板１４ｂとにより構成されている文字板部材１４の表面側から挿入された固定ネジ１５を支持部１２に螺合させることによって、文字板部材１４の裏面に固定されている。クロスコイル式ムーブメント１は、各コイルに計測量に応じて大きさの変化する電流を流されたとき、計測量に応じて回転位置に駆動される指針軸１ｂを有し、クロスコイル式ムーブメント１が固定された文字板部材１４には、指針軸１ｂの先端が文字板１４ａの表面側に抜けるように孔１４ｃが開けられている。なお、指針１ｃは指針軸１ｂに圧入固定され、文字板１４ａの目盛などと協同して計測量を指示する。
【０００５】
コンビネーションメータケース２に対するクロスコイル式ムーブメント１の取付は、例えば、文字板部材１４を導光板１４ｂの周辺部に開けた複数の位置決め孔（図示せず）に合成樹脂製のコンビネーションメータケース２の周縁部に突設した位置決めピン（図示せず）をそれぞれ嵌入させた上で、図示しない固定ネジで固定することにより行われ、このことによってクロスコイル式ムーブメント１がコンビネーションメータケース２に対して位置決め固定される。勿論、クロスコイル式ムーブメント１をコンビネーションメータケース２の底部内側に固定ねじによって直接固定するようにしてもよい。
【０００６】
また、接触子１３の下端は板片の成形加工あるいは丸棒の切削加工によりピン状に形成され、この接触子１３の下端は、コンビネーションメータケース２の底部を貫通してケース外側からケース孔２ｂを通じて嵌挿した接触子受け片３に挿入されている。接触子受け片３はコンビネーションメータケース２の底部外面に配された印刷配線回路基板４に立設されている。印刷配線回路基板４は、クロスコイル式ムーブメント１の各コイルに計測量に応じて大きさの変化する電流を流す給電を行うため、絶縁基板上に印刷され電気接続すべき部分を除いてレジスト層によって被覆されている電気配線を有する。印刷配線回路基板４に立設された接触子受け片３は、その脚部３ａが印刷配線回路基板４の端子挿入孔４ａに上面側から挿入され、裏面の電気配線に半田付けされ、このことで絶縁基板上に電気的及び機械的に結合される。この印刷配線回路基板４は、コンビネーションメータケース２の底部外面に図示しない固定ねじなどにより位置決め固定され、このことによって接触子受け片３が印刷配線回路基板４を介してコンビネーションメータケース２に位置決め固定されるようになる。
【０００７】
接触子受け片３はその頭部に接触子１３の下端を受け入れる開口３ｂが形成され、開口３ｂ内には受け入れた接触子１３の外周と弾性接触する弾性片３ｃが一体に形成されている。このことによって、印刷配線回路基板４の電気配線、接触子受け片３、接触子１３を介してクロスコイル式ムーブメント１の各コイルに給電が行われる。
【０００８】
なお、図示していないが、コンビネーションメータケース２の底部には、印刷配線回路基板４の電気配線を介して給電されて点灯する光源が設けられ、この光源からの光が導光板１４ｂの例えば縁部に設けた光導入部から導入され、導光板１４ｂを通じて導光されて文字板１４ａの背面に照射され、この照射光が文字板１４ａの文字抜き印刷した目盛、文字などを透過して文字板表面側に抜けることによって文字板１４ａが照明され、夜間などの周囲が暗いときでも目盛などが視認できるようになっている。
【０００９】
【発明が解決しようとする課題】
上述した従来の構造では、コンビネーションメータケース２内にクロスコイル式ムーブメント１を位置決め固定して組み付ける際に、クロスコイル式ムーブメント１の接触子１３を印刷配線回路基板４に立設した接触子受け片３に挿入して電気接続を行う必要があるが、接触子受け片３に対して接触子１３が少しでも位置ずれすると、図７に示すように、接触子１３が接触子受け片３の側方に完全に外れてしまうことが多く、一度で接触子１３を接触子受け片３に挿入するには、もっぱら組み付け作業者の熟練度によるところが大きかった。このような傾向は、クロスコイル式ムーブメント１を文字板部材１４の裏面に固定した状態で組付作業を行う場合には、クロスコイル式ムーブメント１全体が文字板部材１４の陰になってしまい、接触子１３及びコンビネーションメータケース２の接触子受け片３を直接見ることができなくなるため特に強まり、組付作業性が悪化させるという問題があった。
【００１０】
よって本発明は、上述した従来の問題点に鑑み、計器ムーブメントの接触子をメータケースの背面に配した印刷配線回路基板に立起した接触子受け片に挿入して相互の電気配線を行いつつ計器ムーブメントをメータケースに組み付ける際の組付作業性の向上を図った電動形計器ムーブメントの組付構造を提供することを課題としている。
【００１１】
【課題を解決するための手段】
上記課題を解決するため本発明により成された請求項１に記載の導電形計器ムーブメントの組付構造は、合成樹脂製のメータケースの底部に計器ムーブメントを位置決め固定し、該計器ムーブメントが有する接触子を、前記メータケースの底部外側に配した印刷配線回路基板に立設した接触子受け片に挿入して前記印刷配線回路基板の電気配線と電気接続し、前記電気配線、前記接触子受け片及び前記接触子を通じて前記計器ムーブメントの指針軸に取り付けた指針を計測量に応じた回転位置に駆動させる給電を行うようにした電動形計器ムーブメントの組付構造において、前記接触子受け片に少なくとも対応する部位に、前記メータケースの底部を内側に部分的に突出させて凸部を、外側から部分的に窪まさせて前記接触子受け片を収容する凹部をそれぞれ形成し、前記凸部及び凹部を貫通して前記凹部に収容された接触子受け片の軸線に略一致し、前記接触子の下端の挿入部を前記接触子受け片まで挿通させる挿入孔を形成し、前記挿入孔の前記凸部側の開口を錐状に拡大したことを特徴としている。
【００１２】
この構造では、合成樹脂製のメータケースの底部に位置決め固定した計器ムーブメントが有する接触子を、メータケースの底部外側に配した印刷配線回路基板に立設した接触子受け片に挿入して前記印刷配線回路基板の電気配線と電気接続し、電気配線、接触子受け片及び接触子を通じて計器ムーブメントの指針軸に取り付けた指針を計測量に応じた回転位置に駆動させる給電を行うようにしているので、電動形計器ムーブメントにその駆動電流を供給する構造が極めて簡単になっている。
【００１３】
しかも、接触子受け片に少なくとも対応するメータケースの部位に、メータケースの底部を内側に部分的に突出させて凸部を、外側から部分的に窪まさせて接触子受け片を収容する凹部をそれぞれ形成し、この凸部及び凹部を貫通して凹部に収容された接触子受け片の軸線に略一致し、接触子の下端の挿入部を接触子受け片まで挿通させる挿入孔を形成し、かつ挿入孔の凸部側の開口を錐状に拡大している。
【００１４】
よって、挿入孔を通じて接触子の下端の挿入部を接触子受け片まで挿通させようとしたときに、接触子の下端の挿入部の軸線と挿入孔すなわち接触子受け片の軸線とが一致しなくても、開口の範囲内にあれば、円錐状に拡大された開口の傾斜面によって接触子の下端の挿入部が挿入孔に一致するように案内される。
【００１５】
上記課題を解決するため本発明により成された請求項２に記載の電動形計器ムーブメントの組付構造は、前記錐状に拡大した開口の面積が少なくとも前記接触子受け片の開口よりも広いことを特徴としている。
【００１６】
この構造では、円錐状に拡大した開口の面積が少なくとも接触子受け片の開口よりも広いので、接触子の下端の挿入部の軸線と挿入孔すなわち接触子受け片の軸線とのずれが大きくても接触子の下端の挿入部が挿入孔に呼び込まれて、挿入孔に一致するように案内される。
【００１７】
上記課題を解決するため本発明により成された請求項３に記載の電動形計器ムーブメントの組付構造は、前記凸部が前記円錐状に拡大した開口の周囲に平坦面を有することを特徴としている。
【００１８】
この構造では、円錐状に拡大した開口の周囲に平坦面を有するので、接触子の下端の挿入部の軸線と挿入孔すなわち接触子受け片の軸線とが、開口の範囲外に接触子の下端の挿入部の先端が位置するように大きくずれたとき、平坦部に乗るようになり、この状態で計器ムーブメントを平行移動することで開口の範囲内に入るようにすることができ、その後は挿入孔に一致するように案内される。
【００１９】
【発明の実施の形態】
以下、本発明の実施の形態を図面に基づいて説明する。図１及び図２は本発明による導電形計器ムーブメントの組付構造の一実施の形態を一部部を破断して示す側面図及び分解図であり、この図において、図５及び図６について上述した従来のものと同等の部分には同一の符号を付してある。
【００２０】
導電形計器ムーブメントとしてのクロスコイル式ムーブメント１は、外周に互いに交差して一対のコイル１ａを巻回した中空のコイルボビンの空間内に図示しないマグネットロータを回転自在に配し、一対のコイル１ａに計測量に応じて大きさの変化する電流を流してマグネットロータを計測量に応じた回転位置に回転させ、マグネットロータの回転軸を指針軸１ｂとしてこれに取り付けた指針１ｃを計測量に応じた指示位置に駆動するように構成されている。
【００２１】
遮磁ケース１１内にコイル１ａと共に収容されているコイルボビンには、遮磁ケース１１外に突出するように一対の支持部１２が一体に成形されている。各支持部１２は２つの接触子１３を保持すると共に、クロスコイル式ムーブメント１を文字板１４ａと導光板１４ｂとからなる文字板部材１４にタッピングネジからなる固定ネジ１５によりネジ止め支持させるためのものであり、支持部１２には接触子１３を保持するための図示しない端子挿入孔とタッピングネジ孔とが形成されている。
【００２２】
接触子１３としては、例えば厚さ０．３ｍｍ程度の黄銅シートを板金成形することによって形成され、表面にスズメッキを施したものが使用される。接触子１３はその上端部に細幅のコイル巻回部１３ａを、その下端部に袋状に成形した挿入部１３ｂを有するような形状となっている。支持部１２の端子挿入孔は、指針軸１ｂの長手方向に沿って挿入された接触子１３のコイル巻回部１３ａが支持部１２の上方に完全に抜けたところで、挿入部１３ｂの一部が当たって停止するような形状に形成されている。
【００２３】
接触子１３はそのコイル巻回部１３ａが端子挿入孔を通って支持部１２の上方に抜けることによって、端子挿入孔内に保持された状態に仮止めされ、この状態でコイル巻回部１３ａにコイル端が巻回された上で半田付けされて電気接続された後、図示のように略直角に折曲されて本止めされる。
【００２４】
クロスコイル式ムーブメント１全体は、裏面側の導光板１４ｂと共に文字板部材１４を構成しているの表面側の文字板１４ａの表面側から挿入された固定ネジ１５が支持部１２のタッピングネジ孔に螺合されることによって、文字板部材１４の裏面に固定されている。固定されたクロスコイル式ムーブメント１の指針軸１ｂには、文字板部材１４の文字板１４ａ及び導光板１４ｂに開けられた孔１４ｃを通じて文字板１４ａの表面側に抜けた先端部に指針１ｃが圧入固定されている。クロスコイル式ムーブメント１の各コイルに計測量に応じて大きさの変化する電流を流されたとき、指針軸１ｂと共に指針１ｃが計測量に応じて回転位置に駆動され、文字板１４ａの目盛などと協同して計測量を指示する。
【００２５】
裏面側にクロスコイル式ムーブメント１が固定された文字板部材１４は、導光板１４ｂの周辺部に設けたボスに開けた位置決め孔に合成樹脂製のコンビネーションメータケース２の周縁部に突設した位置決めピンを嵌入させた上で、図示しない固定ネジなどで固定することによりコンビネーションメータケース２に対して位置決め固定され、この文字板部材１４の位置決め固定によってコンビネーションメータケース２に対するクロスコイル式ムーブメント１の位置決めも行われる。
【００２６】
コンビネーションメータケース２の底部外側、すなわち裏面に配された印刷配線回路基板４には、略筒状に形成された接触子受け片３が立設されている。印刷配線回路基板４は、クロスコイル式ムーブメント１の各コイルに計測量に応じて大きさの変化する電流を流す給電を行うため、絶縁基板上に印刷され電気接続すべき部分を除いてレジスト層によって被覆されている電気配線を有する。印刷配線回路基板４に立設された接触子受け片３は、その脚部３ａが端子挿入孔４ａに挿入され、裏面の電気配線に半田付けされることで絶縁基板上に電気的及び機械的に結合される。この印刷配線回路基板４は、コンビネーションメータケース２の裏面に図示しない固定ねじなどにより位置決め固定され、このことによって接触子受け片３が印刷配線回路基板４を介してコンビネーションメータケース２に位置決め固定されるようになる。
【００２７】
一方、コンビネーションメータケース２の底部には、この底部に位置決め固定された印刷配線回路基板４に立設されている接触子受け片３に対応する部位に、底部を内側に部分的に突出されて上面平坦な凸部２ｃが、外側から部分的に窪まされて凹部２ｄがそれぞれ形成されている。この凹部２ｄには印刷配線回路基板４に立設されている略筒状に形成された接触子受け片３が収容される。凸部２ｃ及び凹部２ｄの中央には、これらを貫通して凹部２ｄに収容された接触子受け片３の軸線に略一致するように挿入孔２ｅが形成され、この挿入孔２ｅを通じて接触子１３の下端の挿入部１３ｂが接触子受け片３まで挿通される。
【００２８】
上記挿入孔２ｅの凹部２ｄ側の開口は接触子１３の下端の挿入部１３ｂの径よりわずかに大きく形成され、凸部２ｃ側の開口２ｆは少なくとも接触子受け片３の開口３ｂよりも大きいが、その周囲に平坦面２ｇを残すように円錐状に拡大されている。このことによって、挿入孔２ｅを通じて接触子１３の下端の挿入部１３ｂを接触子受け片３まで挿通させようとしたときに、接触子１３の下端の挿入部１３ｂの軸線と挿入孔２ｅすなわち接触子受け片３の軸線とが図３に示すように一致しなくても、開口２ｆの範囲内にあれば、円錐状に拡大された開口２ｆの傾斜面によって案内されて、最終的に接触子１３の下端の挿入部１３ｂが挿入孔２ｅを通って接触子受け片３の開口に至るようになる。なお、開口２ｆは円錐状でなく角錐状であってもよく、要は、位置ずれした接触子１３の下端の挿入部１３ｂを挿入孔２ｅまで案内する傾斜面があればよい。
【００２９】
また、仮に、挿入孔２ｅを通じて接触子受け片３まで挿通させようとする接触子１３の下端の挿入部１３ｂが、開口２ｆの範囲から外れて大きくずれたとしても、図４に示すように、接触子１３の下端の挿入部１３ｂの先端が円錐状に拡大された開口２ｆの周囲の平坦面２ｇに乗っている場合には、この状態でクロスコイル式ムーブメント１を平行移動することによって、開口２ｆの範囲内に入るようにすることができ、この範囲内に一度入った後は傾斜面によって案内されて、最終的に接触子１３の下端の挿入部１３ｂが挿入孔２ｄを通って接触子受け片３の開口に至るようになる。
【００３０】
上述のように、クロスコイル式ムーブメント１の全ての接触子１３の下端の挿入部１３ｂがコンビネーションメータケース２の底部外側に配した印刷配線回路基板４の接触子受け片３に挿入された後、文字板部材１４を図示しない位置において位置決め固定することにより、クロスコイル式ムーブメント１はコンビネーションメータケース２の底部内側に位置決め固定されるとともに、クロスコイル式ムーブメント１の各接触子１３が印刷配線回路基板１６の電気配線と電気接続され、印刷配線回路基板４の電気配線及び接触子１３を介してクロスコイル式ムーブメント１の各コイルに計測量に応じて大きさの変化する電流を流す給電が行われるようになる。
【００３１】
上述した構造では、メータケース２の底部外側に位置決め固定した印刷配線回路基板４に立設した接触子受け片３に対応するメータケースの底部の部位に、底部を内側に部分的に突出させて凸部２ｃを、外側から部分的に窪まさせて接触子受け片３を収容する凹部２ｄをそれぞれ形成し、凸部２ｃ及び凹部２ｄを貫通して凹部２ｄに収容された接触子受け片３の軸線に略一致し、接触子１３の下端の挿入部１３ｂを接触子受け片３まで挿通させる挿入孔２ｅを形成し、この挿入孔２ｅの凸部２ｃ側の開口２ｆを錐状に拡大しているので、挿入孔２ｄを通じて接触子１３の下端の挿入部１３ｂを接触子受け片３まで挿通させようとしたときに、接触子１３の下端の挿入部１３ｂの軸線と挿入孔２ｅすなわち接触子受け片３の軸線とが一致しなくても、開口２ｆの範囲内にあれば、円錐状に拡大された開口２ｆの傾斜面によって案内されて、最終的に接触子１３の下端の挿入部１３ｂが挿入孔２ｅを通って接触子受け片３の開口に至るようになり、クロスコイル式ムーブメント１の組付作業性が向上するようになる。
【００３２】
特に円錐状に拡大した開口の面積が少なくとも接触子受け片の開口よりも広いので、接触子受け片３に接触子１３の下端の挿入部１３ｂを直接挿入する場合に比べて、作業性がよくなる。
【００３３】
しかも、接触子１３の下端の挿入部１３ｂの軸線と挿入孔２ｅすなわち接触子受け片３の軸線とが大きくずれて、開口２ｆの範囲外に接触子１３の下端の挿入部１３ｂの先端が位置するようになると、円錐状に拡大された開口２ｆの周囲の平坦面２ｇに乗るようになるが、この状態でクロスコイル式ムーブメント１を平行移動することによって、開口２ｆの範囲内に入るようにすることができ、この範囲内に一度入った後は傾斜面によって案内されて、最終的に接触子１３の下端の挿入部１３ｂが挿入孔２ｄを通って接触子受け片３の開口に至るようになるので、クロスコイル式ムーブメント１の組付作業性がより一層向上するようになる。
【００３４】
なお、図示の実施の形態では、各接触子受け片３に対応する部分に凸部と凹部をそれぞれ形成しているが、これらを１つにまとめて１つの凸部と凹部としてもよい。すなわち、複数の接触子受け片３全てを収容する１つの凹部と対応する１つの凸部としてもよい。
【００３５】
【発明の効果】
以上説明したように請求項１記載の計器ムーブメントの組付構造によれば、挿入孔を通じて接触子の下端の挿入部を接触子受け片まで挿通させようとしたときに、接触子の下端の挿入部の軸線と挿入孔すなわち接触子受け片の軸線とが一致しなくても、開口の範囲内にあれば、円錐状に拡大された開口の傾斜面によって接触子の下端の挿入部が挿入孔に一致するように案内されるので、最終的に接触子の下端の挿入部が挿入孔を通って接触子受け片の開口に至るようになり、クロスコイル式ムーブメントの組付作業性が向上するようになる。
【００３６】
請求項２記載の計器ムーブメントの組付構造によれば、錐状に拡大した開口の面積が少なくとも接触子受け片の開口よりも広く、接触子の下端の挿入部の軸線と挿入孔すなわち接触子受け片の軸線とのずれが大きくても接触子の下端の挿入部が挿入孔に呼び込まれて、挿入孔に一致するように案内されるので、接触子受け片に接触子の下端の挿入部を直接挿入する場合に比べて、作業性がよくなる。
【００３７】
請求項３記載の計器ムーブメントの組付構造によれば、錐状に拡大した開口の周囲に平坦面を有し、接触子の下端の挿入部の軸線と挿入孔すなわち接触子受け片の軸線とが、開口の範囲外に接触子の下端の挿入部の先端が位置するように大きくずれたとき、平坦部に乗るようになり、この状態で計器ムーブメントを平行移動することで開口の範囲内に入るようにすることができ、その後は挿入孔に一致するように案内されるので、クロスコイル式ムーブメントの組付作業性がより一層向上するようになる。
【図面の簡単な説明】
【図１】本発明による計器ムーブメントの組付構造の一実施の形態を一部分破断して示す側面図である。
【図２】図１の計器ムーブメントの組付構造の分解図である。
【図３】図１の計器ムーブメントの組付構造によって得られる作用効果を説明するための部分断面図である。
【図４】図１の計器ムーブメントの組付構造による他の作用効果を説明するための部分断面図である。
【図５】従来の計器ムーブメントの組付構造を一部分を破断して示す側面図である。
【図６】図５の従来の計器ムーブメントの組付構造の分解図である。
【図７】図５の計器ムーブメントの組付構造の問題点を一部分破断して示す側面図である。
【符号の説明】
１          電動形計器ムーブメント（クロスコイル式ムーブメント）
１ｂ        指針軸
１ｃ        指針
１３        接触子
２          メータケース（コンビネーションメータケース）
２ｃ        凸部
２ｄ        凹部
２ｅ        挿入孔
２ｆ        開口
２ｇ        平坦面
３          接触子受け片
４          印刷配線回路基板
【図１】
0003582752.tif 000002
【図２】
0003582752.tif 000003
【図３】
0003582752.tif 000004
【図４】
0003582752.tif 000005
【図５】
0003582752.tif 000006
【図６】
0003582752.tif 000007
【図７】
0003582752.tif 000008